(57)【要約】      （修正有）【課題】自動販売機等の立設配置された立設機器を、地震時に反道路側（立設機器の後面側）へ倒れるように倒れる方向をコントロールして、道路を塞ぐことを防ぐ後面方向転倒装置を提供する。【解決手段】接地面に立てられて配置される立設機器１において、立設機器１を支える前面及び後面側にアンカーボルト１０，１１をその底面９に取付け、この前面及び後面側のアンカーボルト１０，１１には、大きな地震時に折れる機構を備え、上部側及び下部側のアンカーボルトはピンにより結合され、さらに、後面側のアンカーボルトには立設機器１を後面方向へ転倒させる機構が付加され、上部側のアンカーボルトの下端部に設けられたフランジを周囲に持つ円板部に切欠部が形成され、フランジに当接する下部側のアンカーボルトとの相対的位置関係から、上部側のアンカーボルトが支えを失って後ろへ傾斜される。【選択図】図２
2014016861.tif 000002
【特許請求の範囲】
【請求項１】
接地面に立てられて設置される立設機器において、前記立設機器の底面の前面及び後面側に前面及び後面側のアンカーボルトを取付け、この前面及び後面側のアンカーボルトには、大きな地震時に折れる機構を持ち、しかも前記後面側のアンカーボルトには、立設機器を後面方向へ転倒させる機構が付加されたことを特徴とする立設機器の後面方向転倒装置。
【請求項２】
上部側のアンカーボルトと、下部側のアンカーボルトとを備え、前記上部側のアンカーボルトの下端側に設けられたフランジを周囲に持つ円板部と、前記下部側のアンカーボルトの上端側とがスチールボールを介して当接されると共に、この当接側で上部側及び下部側のアンカーボルトの径方向中心に、一つのピンの両端部がそれぞれ挿入されることで、この上部側及び下部側のアンカーボルトとを接続したことを特徴とする前面側のアンカーボルト。
【請求項３】
上部側のアンカーボルトと、下部側のアンカーボルトとを備え、前記上部側のアンカーボルトの下端側に設けられたフランジを周囲に持つ円板部と、前記下部側のアンカーボルトの上端側とがスチールボールを介して当接されると共に、この当接側で上端側及び下端側のアンカーボルトの径方向中心に、一つのピンの両端部がそれぞれ挿入されることで、この上端側及び下端側のアンカーボルトとを接続し、さらに前記フランジを持つ円板部の一部に切欠部を形成したことを特徴とする後面側のアンカーボルト。
【請求項４】
前記ピンには、折れる条件を定める加工を施したことを特徴とする請求項２又は３記載のアンカーボルト。
【発明の詳細な説明】
【技術分野】
【０００１】
この発明は自動販売機などの接地面に対して立設する立設機器が地震などで、前方へ転倒を防ぐために、あえて後方へ積極的に転倒させる立設機器の後面方向転倒装置及びそれに用いられる前面及び後面側のアンカーボルトに関する。
【背景技術】
【０００２】
自動販売機は、筐形体をなし、立設されているが、地震その他の振動により前方に転倒することは極めて危険であり、今までこの対策として、コンクリート床にアンカーボルトを打ち込み、自動販売機の脚を押え金具を介してアンカーボルトに固定し、前方への転倒を防止する方法がとられていた。例えば、特許文献１に示されている。
【先行技術文献】
【特許文献】
【０００３】
【特許文献１】特開平６−２５１２３１号公報
【発明の概要】
【発明が解決しようとする課題】
【０００４】
しかしながら、東日本大震災などの大きな地震にあっては、転倒防止装置があったとしても役には立たず、転倒し、その近くにいた人に被害を与えたり、また、自動販売機は、その性質上道路に近接した位置に立てて配置することが当たり前であるから、道路側に倒れ、道路を塞ぎ、災害現場に向う緊急車両等の行くてを阻み、その到着の遅れを発生させる原因となっていた。
このような交通障害を防ぐことができれば、緊急車両等の車両のスムーズなる移動ばかりでなく、人々の避難にも徒歩障害となることを回避することができる。
【０００５】
自動販売機の転倒は、その前面側（自販機扉側）にほとんど倒れており、その転倒方向が問題となることに注目した。しかも地震時に転倒は避けられないことなら、その転倒方向をコントロールすることに発明者は着目した。
【０００６】
そこで、この発明は、自動販売機等の立設配置された立設機器を、地震時に反道路側（立設機器の後面側）へ倒れるように倒れる方向をコントロールして、道路を塞ぐことを防止する後面方向転倒装置の提供と、そのために用いられる立設機器を支える前面及び後面側のアンカーボルトを提供することにある。
【課題を解決するための手段】
【０００７】
この発明に係る立設機器の後面方向転倒装置は、接地面に立てられて設置される立設機器において、前記立設機器の底面の前面及び後面側に前面及び後面側のアンカーボルトを取付け、この前面及び後面側のアンカーボルトには、大きな地震時に折れる機構を持ち、しかも前記後面側のアンカーボルトには、立設機器を後面方向へ転倒させる機構が付加されたことを特徴としている（請求項１）。
【０００８】
この構成から、地震時に立設機器に大きな振動が加わると、立設機器を支える全てのアンカーボルトが折れ、しかも、後面側のアンカーボルトにある、立設機器を後面方向へ転倒させる機構が働き、立設機器を後方へ倒される。ちなみに、自動販売機には、背面に冷却機器の排熱放出用の隙間が必ず設けられている。そのため後方へ倒すことが可能となる。また、後方へ倒れるから、前面の扉側が閉塞されず、内部の飲料水等を取り出し易く、緊急時に無料にて利用できる機能（災害時キーレスオープン）を確保することもできる。
【０００９】
この発明に係る前面側のアンカーボルトは、上部側のアンカーボルトと、下部側のアンカーボルトとを備え、前記上部側のアンカーボルトの下端側に設けられたフランジを周囲に持つ円板部と、前記下部側のアンカーボルトの上端側とがスチールボールを介して当接されると共に、この当接側で上部側及び下部側のアンカーボルトの径方向中心に、一つのピンの両端部がそれぞれ挿入されることで、この上部側及び下部側のアンカーボルトとを接続したことを特徴としている（請求項２）。
【００１０】
この構成から、大きな地震時に立設機器に大きな振動が加わり、それを支えるアンカーボルトのピンの耐力を越えると切断されるため、上部側のアンカーボルトと下部側のアンカーボルトに分けられ、上部側のアンカーボルトは、下部側のアンカーボルトに対しスチールボールを介して支えられるだけとなり、振動により上部側のアンカーボルトと、下部側のアンカーボルトとが径方向に前後及び左右へ摺動することになる。
【００１１】
この発明に係る後面側のアンカーボルトは、上部側のアンカーボルトと、下部側のアンカーボルトとを備え、前記上部側のアンカーボルトの下端側に設けられたフランジを周囲に持つ円板部と、前記下部側アンカーボルトの上端側とがスチールボールを介して当接されると共に、この当接側で上端側及び下端側のアンカーボルトの径方向中心に、一つのピンの両端部がそれぞれ挿入されることで、この上端側及び下端側のアンカーボルトとを接続し、さらに前記フランジを持つ円板部の一部に切欠部を形成したことを特徴としている（請求項３）。
【００１２】
この構成から、後面側のアンカーボルトにあっては、前記前面側のアンカーボルトと同様に大きな地震時にピンが切断されて、上部側と下部側のアンカーボルトに分けられ、そして上部側のアンカーボルトが前方へ移動すると、下部側のアンカーボルトの上面の端部が前記フランジを持つ円板部の切欠部に至って、上部側のアンカーボルトが支えを失しない、上部側のアンカーボルトは、後方側へ傾き、立設機器を後方へ傾斜させることになる。この際に前面側のアンカーボルトの上部側と下部側のアンカーボルトは分離されているから、当然に離れ、後方傾斜の障害とはならない。
【００１３】
前記ピンには、折れる条件を定める加工例えば円周溝が施されていることを特徴としている（請求項４）。このことから、ピンの折れる耐力限界点を、そのピンの径寸法によりコントロールすることができる。
【発明の効果】
【００１４】
以上のように、請求項１の発明によれば、大きな地震時に立設機器に大きな振動が加わり、前面及び後面側のアンカーボルトが折れると共に、後面側のアンカーボルトに備えられた後面方向へ転倒させる機構により、立設機器は後面に確に転倒させることができ、前面側への転倒を回避して道路を閉塞させることもなく、交通の障害となることもない効果を奏する。
【００１５】
請求項２の発明によれば、大きな地震時に立設機器を支えるアンカーボルトのピンが折れ、上部側のアンカーボルトと下部側のアンカーボルトとに分けられるが、スチールボールを介して上部側のアンカーボルト及び立設機器を支え、前記フランジを周囲に持つ円板部の範囲内で径方向に前後及び左右へ摺動する効果を奏する。
【００１６】
請求項３の発明によれば、大きな地震時に立設機器を支えるアンカーボルトのピンが折れ、上部側のアンカーボルトと下部側のアンカーボルトとに分けられるが、スチールボールを介して上部側のアンカーボルト及び立設機器を支え、前記フランジを周囲に持つ円板部の範囲内で径方向に前後及び左右へ摺動すると共に、下部側のアンカーボルトの上面の端部が前記フランジを持つ円板部の切欠部に至って、上部側のアンカーボルトが支えを失い、上部側のアンカーボルトは、後方へ傾き、それにつれ、立設機器を後方へ確実に傾斜させられる効果を奏する。その際に、前面側のアンカーボルトの上部側と下部側は離れて、後方傾斜の障害とならない。
【００１７】
請求項４の発明によれば、ピンが折れる条件をそれの径により定められることから、径の変更にて所望する震度に対応することができる。
【図面の簡単な説明】
【００１８】
【図１】自動販売機に用いられた本願発明である立設機器の後面方向転倒装置に用いられている状態。正面図。
【図２】同上の立設機器の底面図である。
【図３】本願発明に係る前面側のアンカーボルトの正面図である。
【図４】図３Ａ−Ａ線の断面図である。
【図５】図３Ｂ−Ｂ線の断面図である。
【図６】前面側のアンカーボルトに用いられるピンの正面図である。
【図７】図３に示す前面側のアンカーボルトの縦断面図である。
【図８】図３に示す前面側のアンカーボルトの斜視図である。
【図９】本発明に係る後面側のアンカーボルトの正面図である。
【図１０】図９Ｃ−Ｃ線の断面図である。
【図１１】図９Ｄ−Ｄ線の断面図である。
【図１２】後面側のアンカーボルトに用いられるピンの正面図である。
【図１３】本発明に係る後面側のアンカーボルトの縦断面図である。
【図１４】図９に示す後面側のアンカーボルトの斜視図である。
【図１５】後面側のアンカーボルトにおいて、地震時にピンが折れ、上部側のアンカーボルトが傾く作用の４つの状態を（ａ），（ｂ），（ｃ），（ｄ）として示した説明図である。
【発明を実施するための形態】
【実施例１】
【００１９】
図１において、立設機器である自動販売機１の正面図、図２において、その底面図が示され、自動販売機１は、その前面に扉２を持っており、その上部に販売する飲料のディスプレー部３、中程に金銭投入口４、下部に商品の排出口５が設けられている。
【００２０】
自動販売機１は、筐形をなし、道路、建物内のコンクリート面等の接地面７にアンカーボルト１０及び１１を打ち込んで固定し、自動販売機１の底面９に取付金具（図示せず）を介して固定され、少なくとも底面の四角で、２つのアンカーボルト１０は前面側（以下前面側のアンカーボルトという）に、アンカーボルト１１は後面側（以下後面側のアンカーボルトという）に、それぞれ設けられている。
【００２１】
図３乃至図７において、前面側のアンカーボルト１０が示され、このアンカーボルト１０は、上部側のアンカーボルト１０ａと下部側のアンカーボルト１０ｂとで構成され、上部側のアンカーボルト１０ａは、直径が１６から２０ｍｍ程のボルト１２と、その下端部１２ａに溶着のフランジ１３を周囲に持つ円板部１４とより構成されている。
【００２２】
前記円板部１４は、例えば７６ｍｍ程の直径を持ち、その周囲にフランジ１３を有していて、下面側の中心に下記するピン２７の嵌合孔１６と、その嵌合孔１６の周囲に溝幅７ｍｍ程の環状溝１７が形成されている。
【００２３】
前記下部側のアンカーボルト１０ｂは、直径が１６から２０ｍｍ程のボルト２０と、その上端部２０ａに溶着のボールホルダ部２１とより構成されている。前記ボールホルダ部２１の中心に下記するピン２６の嵌合孔２５と、その周囲に８ｍｍ程の３つの半球状穴２２を等角度で形成し、この半球状穴２２に直径が８ｍｍほどの球状のスチールボール２３が回転自在に挿入されている。
【００２４】
ピン２７は、上部側のアンカーボルト１０ａと、下部側のアンカーボルト１０ｂとを結合して、一個の前面側のアンカーボルト１０を作り出すもので、例えばまずピン２７下端を下部側のアンカーボルト１０ｂのボールホルダ部２１の嵌合孔２５内に圧入する。そして、半球状穴２２にスチールボール２３を挿入する。
【００２５】
それが終了したら、ピン２７の上端を前記上部側のアンカーボルト１０の円板部１４の中心に形成の嵌合孔１６内に圧入する。すると上部側のアンカーボルト１０ａと下部側のアンカーボルト１０ｂは結合され、一本の前面側のアンカーボルト１０が作られる。半球状穴２２内のスチールボール２３は、その上方が結合時前記した環状溝１７内に挿入される。
【００２６】
ピン２７には、図６に示すように、ピンの直径は８ｍｍ程で、軸方向の長さは１０ｍｍ程である。このピン２７の軸方向の中程で４ｍｍほどの位置に円周方向に円周溝２８が形成されている。この円周溝２８によってその部位の直径は６ｍｍ程となっている。この円周溝２８が地震の大きさにより折れる耐力限界点をコントロールすることができる。
【００２７】
なお、上部側のアンカーボルト１０ａのボルト１２の上端部１２ｂは、自動販売機１に取付られ、下部側のアンカーボルト１０ｂのボルト２０の下端部２０ｂは、コンクリート面（図示せず）に埋設の取付プレート２９に固定ナット３０を介して固定されている。
【００２８】
図９乃至図１４において、後面側のアンカーボルト１１が示され、この後面側のアンカーボルト１１は、上部側のアンカーボルト１１ａと下部側のアンカーボルト１１ｂとで構成され、ピン２７で両上部側と下部側のアンカーボルト１１ａ，１１ｂは一体化されている。この後面側のアンカーボルト１１は前記した前面側のアンカーボルト１０の構造を全て含んだ上で相違する構造を持っているので、相違構造のみを説明し、同一構成は同一の符号を付して説明を省略した。
【００２９】
後面側のアンカーボルト１１は、後面方向へ転倒させる機構が付加されている点に前記前面側のアンカーボルト１０と相違する。この相違構造は、上部側のアンカーボルト１１ａのボルト１２の下端部１２ａに取付けられたフランジ１３を持つ円板部１４に円弧状での切欠部３３を有している。当然ながら、円板部１４の切欠であるから、フランジ１３も切欠されている。この切欠部３３の形状については、円弧状のみならず直線状の切欠部でも良く、限定されない。
【００３０】
この後面側のアンカーボルト１１は、自動販売機１を後面方向へ転倒させる作用させるもので、その説明を図１５に基づいて説明する。地震のない時には、（ａ）図に示す状態にある。ピン２７にて上部側のアンカーボルト１１ａと、下部側のアンカーボルト１１ｂとが一体化されている。この後面側のアンカーボルト１１は垂直の状態にある。
【００３１】
大きな地震が起ると、上部側のアンカーボルト１１ａ及び下部側のアンカーボルト１１ｂに地震の振動が加わり、震度６程となると、ピン２７に大きな力がかかり、折れて、上部側のアンカーボルト１１ａと下部側のアンカーボルト１１ｂに分けられる。当然ながら、前面側のアンカーボルト１０にも大きな力がかかり、やはりピン２７が折れる。このような状態となると、自動販売機１を支える前面側及び後面側のアンカーボルト１０及び１１の上部側のアンカーボルト１０ａ及び１１ａが下部側のアンカーボルト１０ｂ及び１１ｂとに対して相対的に変位され、上部側のアンカーボルト１１ａの動きの中で、（ｂ）図のように下部側のアンカーボルト１１ｂと水平方向にずれが生じる。この場合でも、上部側のアンカーボルト１１ａは下部側のアンカーボルト１１ｂにて支えられている。
【００３２】
上部側のアンカーボルト１１ａが更に（ｂ）図上で左側へ動くと、下部側のアンカーボルト１１ｂにて上部側のアンカーボルト１１ａを支えられなくなり、（ｃ）図のように右下がりの傾きとなって、この上に固着の自動販売機１は後面方向へ転倒されることになる。そして、更に進むと、（ｄ）図のように上部側のアンカーボルト１１ａが大きく傾くようになる。
【００３３】
以上のように、大きな地震時に自動販売機１を後面方向へ転倒させることができ、道路を閉塞する障害を防ぐことができると共に、前面側及び後面側のアンカーボルトの機構を異ならせて確実に後面方向へ転倒させることができる。
【符号の説明】
【００３４】
１      自動販売機
７      接地面
９      底面
１０    アンカーボルト
１０ａ  上部側のアンカーボルト
１０ｂ  下部側のアンカーボルト
１１    アンカーボルト
１１ａ  上部側のアンカーボルト
１１ｂ  下部側のアンカーボルト
１２    ボルト
１３    フランジ
１４    円板部
１７    環状溝
２０    ボルト
２１    ボールホルダ部
２３    スチールボール
２７    ピン
３３    切欠部
【図１】
2014016861.tif 000003
【図２】
2014016861.tif 000004
【図３】
2014016861.tif 000005
【図４】
2014016861.tif 000006
【図５】
2014016861.tif 000007
【図６】
2014016861.tif 000008
【図７】
2014016861.tif 000009
【図８】
2014016861.tif 000010
【図９】
2014016861.tif 000011
【図１０】
2014016861.tif 000012
【図１１】
2014016861.tif 000013
【図１２】
2014016861.tif 000014
【図１３】
2014016861.tif 000015
【図１４】
2014016861.tif 000016
【図１５】
2014016861.tif 000017